(57)【要約】【課題】ユーザが頻繁に使用するメニュー項目やデータを、少ない操作で選択できるように自動的にカスタマイズする携帯端末を提供する。【解決手段】制御部１０は、ユーザが機能メニューで選択した項目の選択情報を、その項目を含む直下階層項目群の選択履歴情報に追加し更新する。制御部１０は、各項目における選択頻度を示す選択率を算出する。次に制御部１０は、直下階層項目群の項目数に基づいて、各項目のショートカット生成基準率とショートカット削除基準率とを定める。ある直下階層項目の選択率がショートカット生成基準率を超えている場合、制御部１０はその直下階層項目に遷移するショートカット項目を、ひとつ上の階層に自動生成する。また、ショートカット先の項目の選択率がショートカット削除基準率より小さい場合、制御部１０は１つ上の階層に生成されているこのショートカット項目を自動削除する。【選択図】図１
2010061692.tif 000002
【特許請求の範囲】
【請求項１】
各種のデータが階層化されたフォルダに保存されている携帯端末であって、
各データの選択頻度を検出する選択頻度検出手段と、
前記データについて前記選択頻度検出手段により検出された前記選択頻度が予め定められた生成用設定値を超えたときに、最上位階層に当該データに対応するショートカット項目を生成するショートカット項目生成手段と、
ユーザの操作によりショートカット項目を削除するショートカット項目手動設定手段と、
を有し、
前記ショートカット項目生成手段は、前記ショートカット項目手動設定手段により削除されたショートカット項目を生成しないことを特徴とする携帯端末。
【発明の詳細な説明】
【技術分野】
【０００１】
本発明は、携帯端末に係り、階層化されているメニュー項目やデータ等を選択する操作性の向上に関する。
【背景技術】
【０００２】
多くの機能を備えた携帯端末において、ユーザは階層化されたメニューによって分類、管理された項目群の中から希望する項目を選択し、その項目の機能を使用する。近年の携帯端末が扱うデータ量は年々増加する傾向にあり、電話帳には数百件のデータ、メールフォルダには過去数百件のメール、その他データフォルダには画像や音楽など数多くのデータを保存することができる。
【０００３】
従来の携帯端末では、メニューの中からユーザが頻繁に使用すると考える項目のみをセレクトしてオリジナルメニューを設定する事ができ、通常のメニューでは深い階層に配置されていて、使用する場合に多くの操作手順を要する機能であっても、少ない操作で選択することができるものがある。
【０００４】
また、ユーザが、携帯端末の表示部に表示された複数の項目を自由に選択してグループ化すると共に、そのグループに対応するキーを割り当て、キー操作により対応するグループ内の表示項目を順次カーソルが移動して選択可能になるようにしたものもある（例えば、特許文献１参照）。
【先行技術文献】
【特許文献】
【０００５】
【特許文献１】特開２００１−２８５４４６号公報
【発明の概要】
【発明が解決しようとする課題】
【０００６】
従来の技術の問題点として、ユーザがオリジナルメニューを自ら設定するのは操作が煩雑である。また、例えば以前は音声に関する機能を多用していたが最近はメールに関する機能を多用するようになったなど、ユーザの嗜好が変化した場合、オリジナルメニューを設定し直す必要が生じ、ユーザが自ら再設定する必要がある。
【０００７】
また、ユーザが携帯端末を操作し始める際に、通常のメニューを起動するのか、あるいはオリジナルメニューを起動するのかを判断して操作する必要が生じる。
【０００８】
また、階層化されたメニュー（例えば、電話帳、メールフォルダ、データフォルダ）のデータにアクセスする場合でも、ユーザは階層化されたメニューを操作して目的のデータの項目までアクセスしなければならず、何度も同じデータにアクセスする場合には非常に操作が面倒であった。
【０００９】
この発明はこのような点を鑑みてなされたもので、ユーザが頻繁に使用するメニュー項目やデータを、少ない操作で選択できるように自動的にカスタマイズする携帯端末を提供することを目的としている。
【課題を解決するための手段】
【００１０】
上記した目的を達成するために、請求項１記載の携帯端末は、各種のデータが階層化されたフォルダに保存されている携帯端末であって、各データの選択頻度を検出する選択頻度検出手段と、前記データについて前記選択頻度検出手段により検出された前記選択頻度が予め定められた生成用設定値を超えたときに、最上位階層に当該データに対応するショートカット項目を生成するショートカット項目生成手段と、ユーザの操作によりショートカット項目を削除するショートカット項目手動設定手段と、を有し、前記ショートカット項目生成手段は、前記ショートカット項目手動設定手段により削除されたショートカット項目を生成しないことを特徴とする。
【発明の効果】
【００１１】
本発明によれば、メニュー項目やデータの選択頻度により、選択されたメニュー項目やデータが配置されている階層の１つ上の階層にショートカットメニュー項目を生成する。よって、ユーザが主に使う機能項目が深い階層にある項目であっても、少ない操作で簡単に検索することができる。
【００１２】
また、ショートカット項目を作成しても、元のメニュー項目は移動しないので、深い階層であっても操作に慣れているユーザに対して従来通りの操作性を維持することができる。
【００１３】
また、ショートカット項目を生成しても、階層を降りていくときは常にカーソルがデフォルトのメニュー項目の先頭を選択しているので、ショートカット項目を使用しない場合でも、通常通りの操作性が確保される。
【図面の簡単な説明】
【００１４】
【図１】本発明の一実施形態に係る携帯端末１の概略構成を示すブロック図である。
【図２】同実施形態における携帯端末１の外観図である。
【図３】同実施形態における機能メニューの初期状態の例である。
【図４】同実施形態におけるショートカット項目が生成されている機能メニューの例である。
【図５】同実施形態における、ショートカット生成層と末端層とに分類した機能メニューの例を示す。
【図６】同実施形態における、直下階層項目の区分例である。
【図７】同実施形態におけるショートカット項目生成／削除の動作を示すフローチャートである。
【図８】同実施形態における選択履歴情報の例である。
【図９】同実施形態における、ショートカット項目を自動削除する例である。
【図１０】同実施形態における画面表示部１１の表示例である。
【図１１】本発明の第２の実施形態における、データフォルダの例である。
【図１２】同実施形態における、データアクセスによるショートカット自動作成の動作を示すフローチャートである。
【発明を実施するための形態】
【００１５】
以下、図面を参照して本発明の実施の形態を説明する。
【００１６】
図１は、本発明の一実施形態に係る携帯端末１の概略構成を示すブロック図であり、図２は携帯端末１の外観図である。１０は制御部（選択頻度検出手段、階層検出手段、ショートカット項目生成手段）であり、携帯端末１の各部を制御する。１１は画面表示部、１２は音声出力部、１３は音声入力部である。１４はキー操作部であり、図２におけるテンキーやバックキー、方向キー、確定キーなどを有する。１５は無線通信部であり、無線基地局２と無線接続する。１６は着信通知部であり、音声やバイブレータによる通知を行う。１７は時計・タイマ部である。１８はメモリ部であり、各種機能を分類して階層化しているメニュー項目を格納している。
【００１７】
無線基地局２は、通信網Ｎに接続し、他の端末やサーバなどと通信を行う。
【００１８】
図３はメモリ部１８に格納しているメニュー項目の一例である機能メニューの初期状態の例である。ユーザが機能メニューを起動すると、制御部１０はまず最も上位の階層（第１階層）を画面表示部１１に表示させる。ユーザによる項目の選択操作は、方向キーおよび確定キーなどによって行う。画面表示を上位の階層に戻す場合は、バックキーを押下する。
【００１９】
階層毎の項目群は、機能項目、小メニュー項目、ショートカット項目の３種類によって構成され、ユーザの選択に応じてそれぞれの項目を表示する。図４はショートカット項目が生成されている機能メニューの例である。機能項目を選択すると、その項目に対応する機能が起動される。小メニュー項目を選択すると、その項目のすぐ下の層の項目群が画面表示される。機能項目と小メニュー項目を合わせて基本項目と呼ぶ。ショートカット項目は選択頻度が高い項目において生成され、選択すると対応するショートカット先の項目を選択した場合と同様の処理を行う。
【００２０】
項目群中に小メニュー項目を含む（さらに下に階層が存在する）階層を、ショートカット生成層とする。ショートカット生成層では、ショートカット項目を自動生成することができる。自動生成する方法は後に述べる。一方、階層の項目群中に小メニュー項目を含まない階層を末端層とする。末端層では、ショートカット項目を生成することができない。図５にショートカット生成層と末端層とに分類した例を示す。
【００２１】
ショートカット生成層に含まれる小メニュー項目を選択すると表示されるすぐ下の階層を、そのショートカット生成層に対する直下階層、この直下階層に含まれる項目を直下階層項目と呼ぶ。ショートカット生成層に自動生成されるショートカット項目は、そのショートカット生成層に対する直下階層項目の中で、選択頻度が特に高いと判断できる項目である。
【００２２】
一方、直下階層項目にはショートカット項目も含まれる。従って、直下階層にて既に生成されているショートカット項目が上位層で生成される場合がある。これにより、直下階層に含まれる項目に対してだけでなく、さらに下の階層の項目へのショートカットも可能となる。直下階層項目の区分例を図６に示す。
【００２３】
また、１つのショートカット生成層に対する全ての直下階層項目を、直下階層項目群として１つの項目群とみなす。
【００２４】
次に、上記構成の携帯端末１における、ショートカット項目の生成、削除の動作について図７を参照して説明する。ユーザはキー操作部１４を用いて携帯端末１の機能メニューを起動させる（ステップＳ１）。制御部１０は、メモリ部１８に格納された、各種機能を分類して階層化している機能メニューを取得し、画面表示部１１に最も上の階層である第１階層を表示する。
【００２５】
ユーザは、画面表示部１１に表示されている機能メニューから、希望する項目１つをキー操作部１４の方向キーで選択し押下する（ステップＳ３）。制御部１０は、キー操作部１４の操作を受け、画面表示部１１に選択した項目の内容を表示する。選択した項目が小メニュー項目である場合、制御部１０はすぐ下位の階層に遷移し項目群を表示するので、ユーザはさらに選択して機能項目を表示させ、機能を起動させる。
【００２６】
ここで、メモリ部１８は、ユーザが選択した項目の選択情報を、直下階層項目群毎に１つの選択履歴情報として管理している。図８に選択履歴情報の例を示す。選択履歴情報には、ユーザが選択した項目の選択情報が、最新のものから順にｎ回分記録されている。これにより、最新ｎ回分の選択情報のみを選択履歴情報として扱う事で、ショートカット項目を自動生成する判断を行う場合に、「以前はよく選択していたが最近はあまり選択していない項目」を対象外とすることができ、また選択履歴情報を保持する為に必要なメモリ量を一定量にできる。本実施形態ではｎ＝２０とする。
【００２７】
制御部１０は、ステップＳ３でユーザが選択した項目の選択情報を、その項目を含む直下階層項目群の選択履歴情報に追加し、この選択履歴情報を更新してメモリ部１８に格納する（ステップＳ５）。選択された項目がショートカット項目の場合、ショートカット先の項目が選択された事と同等と判断し、ショートカット先の項目を含む直下階層項目群の選択履歴情報も同時に更新する。
【００２８】
次に制御部１０は、ステップＳ５で更新した選択履歴情報から、各項目における選択頻度を示す選択率ｙを（１）式より算出する（ステップＳ７）。
【００２９】
ｙ＝（ｘ／ｎ）×１００                    ・・・（１）
（ただし本実施形態ではｎ＝２０）
（１）式において、ｘは選択履歴情報に含まれる各項目の選択回数である。
【００３０】
次に制御部１０は、ステップＳ３で選択した項目を含む直下階層項目群の項目数ａを取得する。その項目数ａに基づいて、この直下階層項目群における項目それぞれのショートカット生成基準率ｓを以下のようにして定める（ステップＳ９）。
【００３１】
ａ≦５の場合：ｓ＝４５％
６≦ａ≦１０の場合：ｓ＝３５％
ａ≧１１の場合：ｓ＝２５％
このように、項目数ａが多い場合はショートカット生成基準率ｓを低くし、項目数ａが少ない場合はショートカット生成基準率ｓを高くする。
【００３２】
次に制御部１０は、ステップＳ９における項目数ａに基づいて、この直下階層項目群の１つ上の階層に生成されているショートカット項目に対するショートカット削除基準率ｓ’を以下のようにして定める（ステップＳ１１）。
【００３３】
ａ≦５の場合：ｓ’＝４０％
６≦ａ≦１０の場合：ｓ’＝３０％
ａ≧１１の場合：ｓ’＝２０％
このように、項目数ａが多い場合はショートカット削除基準率ｓ’を低くし、項目数ａが少ない場合はショートカット削除基準率ｓ’を高くする。また、ショートカット削除基準率ｓ’は、ショートカット生成基準率ｓよりも常に低い値とする。これは、もし仮にｓ’＝ｓと設定してしまうと、その項目の選択率ｙがショートカット生成基準率ｓの前後を頻繁に変化する場合、ショートカット項目の生成／削除を頻繁に繰り返す事となり、ユーザを混乱させる為である。
【００３４】
既に生成されているショートカット項目があるときに（ステップＳ１３で「Ｙｅｓ」）、ステップＳ７で算出したショートカット先の項目の選択率ｙが、ステップＳ１１で定めたショートカット削除基準率ｓ’より小さい場合（ステップＳ１５で「Ｙｅｓ」）、制御部１０は１つ上の階層に生成されているこのショートカット項目を自動削除する（ステップＳ１７）。図９はショートカット項目を自動で削除する例である。
【００３５】
ステップＳ７で算出したある直下階層項目の選択率ｙが、ステップＳ９で定めたショートカット生成基準率ｓを超えている場合（ステップＳ１９で「Ｙｅｓ」）、制御部１０はその直下階層項目に遷移するショートカット項目を、その直下階層項目のひとつ上の階層（ショートカット生成層）に自動生成する（ステップＳ２１）。１つの直下階層項目群の中に、ショートカット生成基準率ｓを超えている項目が複数存在している場合、それぞれの項目に対するショートカット項目を自動生成する。従って、ショートカット生成層には複数のショートカット項目が生成される場合もある。
【００３６】
ステップＳ２１で生成されたショートカット項目を含む階層の項目を画面表示部１１に表示する際の表示例を図１０に示す。図１０において、基本項目を画面表示する際の表示順位は階層毎に規定しており、その階層にてショートカット項目が生成された場合でも、基本項目間の表示順位は変化しない。また、ショートカット項目の有無に係らず、基本項目の中で表示順位が先頭の項目の位置を、最初のフォーカス位置（確定キー押下で直ちに選択される位置）とする。
【００３７】
表示する階層にショートカット項目が含まれていない場合（図１０の（Ａ））、上述の通り基本項目をあらかじめ規定された表示順位で表示される。
【００３８】
表示する階層にショートカット項目が１つ生成されている場合（図１０の（Ｂ））、ショートカット項目は先頭の基本項目よりも上に表示される（ステップＳ２３）。基本項目の中で表示順位が先頭の項目の位置は、上述に従い最初のフォーカス位置となる。
【００３９】
表示する階層にショートカット項目が複数生成されている場合（図１０の（Ｃ））、ショートカット項目間の位置順位は、それぞれのショートカット先の項目の選択率ｙが低い順とする。これによって、より選択率ｙが高い項目へのショートカット項目が、最初のフォーカス位置と近い場所に配置され、ユーザが選択しやすくなる。
【００４０】
以上説明したように、本実施形態によれば、機能メニューの項目を選択する際に、その項目の選択率を算出して、ショートカット項目を１つ上の階層に自動生成するので、ユーザが主に使う機能項目を、少ない操作で簡単に検索することができる。
【００４１】
また、ユーザの嗜好の変化に応じて使用しなくなったショートカット項目を自動削除するので、不要な項目がいつまでも選択肢として表示されることによる煩雑さがないと共に、メモリを軽減することができる。
【００４２】
また、上記自動で生成されるショートカット項目はユーザの操作により削除することが可能である。その際、削除されたショートカット項目におけるショートカット先のメニュー項目に対応させてユーザが削除した旨の情報を記憶しておくことにより、次回からショ
ートカット項目を作成しないメニュー項目として扱うこともできる。これにより、ユーザにとってショートカットが不要なメニュー項目を端末が認識することができる。また、ショートカット項目が無駄に増えてしまうこともなくなる。
【００４３】
また、機能メニューを例とする一実施例においては、最も上位の階層を機能メニューの起動画面にしているが、待受画面やデスクトップ画面や初期メニュー画面のような最上位階層（第０階層）にショートカット項目を作成しても良い。これにより、ユーザは使用頻度の高いメニュー項目に対して即座にアクセスすることが出来る。
【００４４】
また、上記一実施例においてはショートカット生成基準率を超えたメニュー項目は１つ上の階層に生成されているが、それ以上の階層でも、第０階層でも良い。
【００４５】
次に、本発明の第２の実施形態として、データフォルダを例として図１１を参照して説明する。携帯端末のメモリ部１８に格納されている各種データは階層化されたフォルダに種類別に格納されている。このデータフォルダに格納されているデータにアクセスする場合、例えば［データフォルダ］（ａ）−［Ｍｙデータ］（ｂ）−［フォト］（ｃ）−［日付］（ｄ）−［画像］（ｅ）のフォルダの階層を辿って特定の画像にアクセスする。
【００４６】
次に、データをアクセスすることでそのデータのショートカットを自動生成する動作について、図１２を参照して説明する。尚、ここではフォルダに格納された画像の選択頻度に基づいて自動生成する動作を例として説明する。選択頻度とは、選択された回数や、表示、視聴された時間に基づくものであるが、ここでは選択回数を例として説明する。
【００４７】
まず、ユーザがキー操作部１４を操作して階層化されたフォルダに格納されている画像にアクセスすると（ステップＳ３１）、選択した画像が表示部１１に表示される。次に、制御部１０は画像が選択され表示されたことを検出して、その画像の選択回数を１つ増加させ、メモリ部１８に画像と対応させて選択回数を記憶させる（ステップＳ３３）。尚、画像が選択される毎に選択回数が１つ増加して記憶されるものとする。そして、制御部１０は選択回数が所定の設定値を超えたか否かを判定し（ステップＳ３５）、超えていれば画像のショートカットを初期メニュー画面に生成する（ステップＳ３７）。図１１（ｆ）に生成した画像のショートカットの例を示す。
【００４８】
これにより、ユーザは、何度もアクセスする深い階層のデータに対して、少ない操作で簡単にアクセスすることができる。更に、初期メニュー画面にショートカットを生成することにより、ユーザは階層化されたメニューやフォルダを操作せずに最短で画像を表示できる。また、初期メニュー画面に表示することで視覚上もデータの存在に気付き易くなる。
【００４９】
また、生成されたショートカットはユーザが削除しても良いし、表示できる数を超えた場合に、最も古く生成されたショートカットを削除するとともに、新たなショートカットを生成するようにしても良い。また、データは画像に限定されるものではなく、ムービーや音楽などのデータでも良い。また、ショートカットとは、アイコンでも元画像の縮小画像でも構わない。また、１回でも選択されたデータに対してショートカットを生成するようにしてもよい。但しこの場合、表示や視聴の時間が所定値を超えるものに限りショートカットを生成するようにした方が好ましい。
【００５０】
なお、前記実施例では画像データへアクセスした選択回数に基づいてショートカットの生成を判定しているが、さらに使い勝手をよくするために、例えば、所定時間内に選択された回数が多いものや、全データまたはフォルダ内の全データに対して選択頻度が高いものを判定基準にしてもよい。
【００５１】
以上、本発明の実施形態について図面を参照して詳述してきたが、具体的な構成はこの実施形態に限られるものではなく、本発明の要旨を逸脱しない範囲の設計変更等も含まれる。
【００５２】
例えば、上記実施形態ではデータへの選択頻度に基づいてショートカットを生成するようにしているが、操作の履歴として、１回でも選択した場合にショートカットを生成するようにしても良い。但し、この場合はショートカットが多く生成される恐れがあるので、ショートカットを保存できる個数を限定し、常に最新のものを残すとともに、古いものから削除するようにした方が好ましい。また、上述したように、ユーザが操作して削除したものは次回からショートカットを生成しないようにすれば、不要なショートカットの作成を防ぐことができる。
【００５３】
また、単に階層として経由する項目はショートカットの対象とせず、例えば、音量設定やモード設定などの設定項目やカメラ機能やビューワー機能などの機能項目のみをショートカットの対象項目としても良い。
【００５４】
また、ショートカット項目の自動生成／自動削除する処理を、ユーザが起動または解除できる設定にしてもよい。
【００５５】
また、生成したショートカット項目を全て削除すると同時に、全ての直下階層項目群に対する選択履歴情報をクリアする、メニュー初期化機能を付加してもよい。
【００５６】
また、ユーザの操作により、任意の項目に対するショートカット項目を任意の階層に生成または削除する、ショートカット項目手動設定機能を付加してもよい。その場合、この機能により生成されたショートカット項目は、自動生成／自動削除の対象外となる。
【００５７】
また、上記実施形態における携帯電話機の代わりに、無線通信機能を備えた携帯型パーソナル・コンピュータ又はＰＤＡ（Personal Digital Assistance）に本発明を適用して
もよい。
【００５８】
上述した本発明によれば、携帯端末のような限定された画面において効率よくユーザが希望する項目やデータにアクセスすることが可能となり、操作性が非常に向上される。また、生成されたショートカットが自動的に削除されることにより、限定された画面に不要なものを残さず、常に必要な項目のみが表示される。
【符号の説明】
【００５９】
１…無線端末、２…無線基地局、１０…制御部、１１…画面表示部、１２…音声出力部、１３…音声入力部、１４…キー操作部、１５…無線通信部、１６…着信通知部、１７…時計・タイマ部、１８…メモリ部
【図１】
2010061692.tif 000003
【図２】
2010061692.tif 000004
【図３】
2010061692.tif 000005
【図４】
2010061692.tif 000006
【図５】
2010061692.tif 000007
【図６】
2010061692.tif 000008
【図７】
2010061692.tif 000009
【図８】
2010061692.tif 000010
【図９】
2010061692.tif 000011
【図１０】
2010061692.tif 000012
【図１１】
2010061692.tif 000013
【図１２】
2010061692.tif 000014